【事件の表示】
　平成　５年特許願第　６１７２９号「情報記録装置」拒絶査定に対する審判事件［平成　６年　９月３０日出願公開、特開平　６−２７４８８４］について、次のとおり審決する。
【結　論】
　本件審判の請求は、成り立たない。
【理　由】
１．手続の経緯・本願発明
　本件審判の請求にかかる特許出願（以下「本願」という。）は、平成５年３月２２日に出願されたものであって、本願請求項１に係る発明は、平成１５年７月１８日付けの手続補正書により補正された明細書及び図面の記載からみて、その特許請求の範囲の【請求項１】に記載されたとおりのものと認められるところ、その請求項１に係る発明は以下のとおりである。
　「情報記録媒体を回転させるとともに、回転数を制御する回転制御手段と、上記情報記録媒体に情報を記録する情報記録手段と、この情報記録手段を搭載した光学ピックアップのフォーカスおよびトラッキングを制御する光学ピックアップ制御手段と、上記情報記録媒体の所定アドレスを検索してそのアドレスの位置に上記光学ピックアップを移動させる光学ピックアップ送り制御手段と、入力されるディジタル情報を圧縮処理する情報量圧縮手段と、圧縮処理された情報を一時的に記憶して記録のために上記情報記録手段に出力する一時記憶手段を備えた情報記録装置において、
　複数のデータブロックの情報を上記情報量圧縮手段で圧縮して、その複数のデータブロックの圧縮情報を上記一時記憶手段に蓄え、この一時記憶手段に蓄えられた複数のデータブロックの圧縮情報を上記情報記録手段によって上記情報記録媒体に連続して記録させるとともに、その次の各１つのデータブロックの情報を情報量圧縮手段で圧縮して、一時記憶手段に蓄える都度、上記各１つのデータブロックの圧縮情報を情報記録手段によって情報記録媒体に間欠的に記録するように制御する制御手段を備えたことを特徴とする情報記録装置。」（以下、「本願発明」という。）
　
　
２．刊行物及びその記載
　原査定の拒絶理由で引用された刊行物である特開平４−３５１７４８号公（以下、「刊行物」という。）は、情報量圧縮手段による入力ディジタル情報の圧縮処理と、圧縮処理された情報の一時記憶手段への格納と、回転制御手段及び光学ピックアップ制御手段による記録準備と、光学ピックアップ送り手段による所定のアクセスを実行して前記一時記憶手段からの情報の記録を行う情報記録装置であって、具体的に以下の記載がある。
　１）【０００３】【発明が解決しようとする課題】しかし、光磁気記録装置を電池で光磁気記録をする場合、特に記録記録電流に相当大きな電力を消費する為に、電池の消耗によって１枚のディスク全域に音声を一度に連続記録することが困難となることも予測される。そこで、圧縮音声データを時間軸圧縮してブロック単位で間欠記録することにより記録時間を削減することが考えられるが、記録前や記録ポーズの期間中にディスクモータやピックアップを駆動状態として放置することは記録時ほど電力消費を生じないが、電力浪費ともなり望ましくない。
　【０００４】【課題を解決するための手段】そこで、本発明は、圧縮音声データの記憶手段への記憶と記録機構の起動とを記録操作に連動させ、起動完了後に記憶データを高速で読み出し間欠記録させることを第１の特徴とし、記憶手段に圧縮音声データを循環的に記憶させておき記録操作に連動して、記録機構の記録開始時に操作時点以降の記憶データを読み出して記録することを第２の特徴とし、記憶手段に圧縮音声データを循環的に記憶させておき記録操作に連動して、記録機構の記録開始時に操作前の記憶データを含めて記憶データの読み出しを為し記録することを第３の特徴とする。
　
　２）【０００６】【実施例】以下、本発明を光磁気ディスク記録システムに採用した１実施例に付いて説明する。
　【０００７】まず本実施例は、従来と同様にディスクレコードの記録面に予めガイドトラックを形成しており、このガイドトラックはＡＴＩＰコードでＦＭ変調された信号で蛇行せしめられており、記録や再生に際してトラッキングエラー信号として再生される。また、ＦＭ信号のキャリアの中心周波数は２２．０５ＭＨｚに設定されており、記録や再生に際してディスクサーボのパイロット信号として利用される。更に、ＡＴＩＰコードは、ガイドトラックの記録始端から記録終端迄の絶対アドレスを示し、分と秒と１／７５秒のサブコードフレーム番号の情報で構成され、サブコードフレーム周期でガイドトラックに記録されている。上述する構成は、書き換え型のディスクレコードのフォーマットとして周知の構成である。
　
　３）【０００９】以下、光磁気記録記録原理についても本実施例は共通であり、図１に示す様に、まず、２チャンネルのアナログ音声は記録信号としてＡＤ変換手段１に供給される。このＡＤ変換手段１は、ＣＤフォーマットと同様の４４．１ＫＨｚの変換クロックで各サンプルを１６ビットに変換している。このＡＤ変換データまたは別途入力されるディジタル音声は、次段のデータ圧縮手段２に供給され、１／５に圧縮処理される。この圧縮音声データは順次メモリ３に記憶される。このメモリ３は、記録に際して記憶データ３秒分を単位として高速で読み出しており、読出データは、ブロックエンコード手段８に入力されてリンクブロックを付加されて、ＣＤ−ＤＡエンコード手段９に入力され、ＣＤフォーマットの間欠記録データとしてヘッドドライブ手段１０に入力される。その結果、記録期間中ピックアップ１６が発生する高出力ビームにより集中的に過熱された部分が磁界変調され、間欠記録トラックが形成される。
　【００１０】尚、図１中のアドレス発生手段４は、前記メモリ３に対する書込アドレスと読出アドレスを発生して書込位置と読出位置を特定するものである。また、データ量検出手段５は、書込アドレスより読出アドレスを減じてその差が、１データブロック長より大きい場合、記録準備指令を発生するものである。また、アクセス制御手段１５は、再生アンプ１４の出力よりトラッキングエラー信号を入力すると共に、システムコントロール手段１１よりトラックジャンプパルスを入力してピックアップ８（１６の誤記）及びピックアップ内の対物レンズを移動して、ピックアプを所定の走査位置に移動している。また、ディスクサーボ手段１８は、再生アンプ出力より高域のトラッキングエラー信号を分離し、その平均周波数が２２．０５ＫＨｚとなる様に、ディスクモータ１７の回転を制御して線速一定に保っている。更に、ＡＴＩＰデコード手段１３は、再生アンプ出力の高域トラッキングエラー信号をＦＭ復調してＡＴＩＰコードをデコードしてシステムコントロール手段１１に供給している。システムコントロール手段１１は、記録準備指令に従ってピックアップ８（１６の誤記）を、所定アドレスにアクセスさせるためのトラックジャンプパルスを発生し、前記ピックアップ１６が所定アドレスにアクセスしたことをデコードされたＡＴＩＰコードを参照して検出し、記録指令をアドレス発生手段４、ブロックエンコード手段８、ＣＤ−ＤＡエンコード手段９、ヘッドドライブ手段１０にそれぞれ供給をし、高速で読み出された記憶データ１データブロック長分を間欠記録している。更に、モード設定手段７は、少なくとも電源を消勢させるＯＦＦ釦と、電源ＯＮとストップの設定を兼ねるＯＮ／ＳＴＯＰ操作釦と、記録の設定をするＲＥＣ釦が設けられており、各操作釦の操作出力をシステムコントロール手段１１と電源供給制御手段６に入力するものである。
　
　以上の記載事項及び図面の記載を総合勘案して整理すると、要するに、刊行物には以下の発明（以下、「刊行物発明」という。）が記載されているものと認める。
  「ディスクモータ１７の回転を制御して線速一定に保って駆動されているもので、システムコントロール手段１１は、記録準備指令に従ってピックアップ１６を、所定アドレスにアクセスさせるためのトラックジャンプパルスを発生し、前記ピックアップ１６が所定アドレスにアクセスしたことをデコードされたＡＴＩＰコードを参照して検出し、記録指令をアドレス発生手段４、ブロックエンコード手段８、ＣＤ−ＤＡエンコード手段９、ヘッドドライブ手段１０にそれぞれ供給をし、高速で読み出された記憶データ１データブロック長分を間欠記録していく情報記録装置であって、
　記憶データであるディジタル音声は、データ圧縮手段２に供給されて１／５に圧縮処理され、この圧縮音声データは順次メモリ３に記憶され、このメモリ３は、記録に際して記憶データ３秒分を単位として高速で読み出しており、読出データは、前記ブロックエンコード手段８に入力されてリンクブロックを付加されて、前記ＣＤ−ＤＡエンコード手段９に入力され、ＣＤフォーマットの間欠記録データとして前記ヘッドドライブ手段１０に入力して、記録期間中ピックアップ１６が発生する高出力ビームにより集中的に過熱された部分が磁界変調され間欠記録トラックが形成される情報記録装置」
　
　
３．対比・判断
　本願発明と刊行物発明とを対比すると、刊行物発明の“ディスクモータ１７の回転を制御して線速一定に保って駆動されている”は、本願発明の「情報記録媒体を回転させるとともに、回転数を制御する回転制御手段」に相当する。
同じく、刊行物発明の“間欠記録データとしてヘッドドライブ手段１０に入力して、記録期間中ピックアップ１６が発生する高出力ビームにより集中的に過熱された部分が磁界変調され間欠記録トラックが形成される”は、本願発明の「情報記録媒体に情報を記録する情報記録手段」に、
刊行物発明の“記録準備指令に従ってピックアップ１６を、所定アドレスにアクセスさせるためのトラックジャンプパルスを発生し、前記ピックアップ１６が所定アドレスにアクセスしたことをデコードされたＡＴＩＰコードを参照して検出し・・・・・高速で読み出された記録データブロック長分を間欠記録していく”は、所定アドレスにアクセスした後の次ステップで記録工程に入る記載であるから、この記録工程段階までにフォーカス制御が完了していることは明らかで、これは本願発明の「光学ピックアップのフォーカスおよびトラッキングを制御する光学ピックアップ制御手段と、上記情報記録媒体の所定アドレスを検索してそのアドレスの位置に上記光学ピックアップを移動させる光学ピックアップ送り制御手段」に、
さらに、刊行物発明の“ディジタル音声は、データ圧縮手段２に供給されて１／５に圧縮処理され、この圧縮音声データは順次メモリ３に記憶され、このメモリ３は、記録に際して記憶データ３秒分を単位として高速で読み出しており、読出データは、ブロックエンコード手段８に入力されてリンクブロックを付加されて、ＣＤ−ＤＡエンコード手段９に入力され、ＣＤフォーマットの間欠記録データとしてヘッドドライブ手段１０に入力して、・・・間欠記録トラックが形成される”は、ここでの“メモリ３”は本願発明の「一時記憶手段」に相当するもので、また記憶データは１／５に圧縮処理され順次メモリに記憶後、続いて記憶データをデータブロック単位として高速で読み出してディスクに間欠記録しており、また“圧縮音声データは順次メモリ３に記憶され、このメモリ３は、記録に際して記憶データ３秒分を単位として高速で読み出しており”というものであれば、一時記憶であり、蓄えられる都度の読み出しとなるから、これは本願発明の「入力されるディジタル情報を圧縮処理する情報量圧縮手段と、圧縮処理された情報を一時的に記憶して記録のために情報記録手段に出力する一時記憶手段を備えた」「各１つのデータブロックの情報を情報量圧縮手段で圧縮して、一時記憶手段に蓄える都度、上記各１つのデータブロックの圧縮情報を情報記録手段によって情報記録媒体に間欠的に記録するように制御する制御手段」に相当する。
　結局のところ、本願発明と刊行物発明との一致点及び相違点は以下のとおりである。
　
〔一致点〕　
　「情報記録媒体を回転させるとともに、回転数を制御する回転制御手段と、上記情報記録媒体に情報を記録する情報記録手段と、この情報記録手段を搭載した光学ピックアップのフォーカスおよびトラッキングを制御する光学ピックアップ制御手段と、上記情報記録媒体の所定アドレスを検索してそのアドレスの位置に上記光学ピックアップを移動させる光学ピックアップ送り制御手段と、入力されるディジタル情報を圧縮処理する情報量圧縮手段と、圧縮処理された情報を一時的に記憶して記録のために上記情報記録手段に出力する一時記憶手段を備えた情報記録装置において、
　各１つのデータブロックの情報を情報量圧縮手段で圧縮して、一時記憶手段に蓄える都度、上記各１つのデータブロックの圧縮情報を情報記録手段によって情報記録媒体に間欠的に記録するように制御する制御手段を備えたことを特徴とする情報記録装置。」の点。
　
〔相違点〕
　データブロックの一時記憶手段への蓄えと情報記録媒体への記録に関して、本願発明は「複数のデータブロックの情報を情報量圧縮手段で圧縮して、その複数のデータブロックの圧縮情報を一時記憶手段に蓄え、この一時記憶手段に蓄えられた複数のデータブロックの圧縮情報を情報記録手段によって情報記録媒体に連続して記録させる」との連続記録手段を有しているが、刊行物発明にはこの構成がない点。
　
〔判断〕
　一時記憶手段を介在して記録媒体への記録情報を読み出し処理していく情報記録装置において、例えば、記録媒体への記録処理工程の一時中断を余儀なくされた場合であっても、ディジタル化データ単位を一時記憶手段に蓄え続けておき、この蓄えられた複数のデータ単位を、記録処理工程の再開時に、連続的かつ高速に読み出し処理して情報記録媒体に記録処理し、一時記憶手段に空き容量ができた後は、通常の一定周期の読み出し処理に戻していく『一時記憶手段』の使用制御手法は周知の技術的手法であるから（特に必要あれば、一例として特開昭６３−７０９６６号公報の第７図の実施例参照）、刊行物発明においても、情報を一時記憶手段に相当するメモリ３の使用手法に上記周知技術を採用して、上記相違点のように構成することは当業者が適宜容易に想到できるものである。
　
　
４．むすび
　したがって、本願発明は、上記刊行物の発明及び周知構成に基づき当業者が容易に発明をすることができたものであるから、特許法第２９条第２項の規定により特許を受けることができない。
　　
　よって、結論のとおり審決する。